(57)【要約】【課題】各種電子機器に用いられるレバースイッチに関し、安価で、確実な電気的接離が可能なものを提供することを目的とする。【解決手段】ケース１１内に複数のレバー１５、１６と、複数のアーム部１７Ｂ、１７Ｃが形成された可動接点１７を収納すると共に、この複数のレバー１５、１６の両側面の支点部１５Ａと１６Ａを、ケース１１の両側壁に形成した支持孔１１Ａに回動可能に係止することによって、一つの可動接点１７で共通接点１２と複数の固定接点１３や１４の電気的接離を行えるため、複数のレバースイッチを用いる必要がなく、安価で機器への取付けも容易に行えると共に、複数のレバー１５、１６の支点部１５Ａと１６Ａがケース１１の両側壁に確実に係止されているため、レバーの外れ等もなく、確実な電気的接離が可能なものを得ることができる。【選択図】図１
2013214490.tif 000002
【特許請求の範囲】
【請求項１】
内底面に共通接点及び複数の固定接点が植設された略箱形のケースと、このケース内に並列に収納され、上端の操作部が上方へ突出した複数のレバーと、一端が上記共通接点に弾接し、複数のアーム部の中間部が上記複数のレバー下面に、アーム部先端が上記複数の固定接点に弾接する可動接点からなり、上記ケースの両側壁に支持孔を設けると共に、この支持孔に上記複数のレバーの両側面に形成された支点部を回動可能に係止したレバースイッチ。
【請求項２】
複数のレバーの支点部近傍に間隙部を設けた請求項１記載のレバースイッチ。
【発明の詳細な説明】
【技術分野】
【０００１】
本発明は、各種電子機器において、主に記録媒体の有無やメカニズムの動作検出等に用いられるレバースイッチに関するものである。
【背景技術】
【０００２】
近年、パーソナルコンピュータや電子カメラ等の各種電子機器の小型化や高機能化が進むなか、これらのディスク等の記録媒体の有無、あるいは扉の開閉等のメカニズムの動作検出等に用いられるレバースイッチにおいても、小型薄型で動作の確実なものが求められている。
【０００３】
このような従来のレバースイッチについて、図８を用いて説明する。
【０００４】
図８は従来のレバースイッチの断面図であり、同図において、１は上面開口で絶縁樹脂製の略箱形のケース、２は導電金属薄板製の固定接点で、複数の固定接点２がケース１の内底面に植設固定されると共に、固定接点２下端がケース１下面から下方へ延出している。
【０００５】
また、３は絶縁樹脂製のレバーで、両側面に形成された略円柱状の支点部３Ａが、ケース１両側壁の丸孔１Ａに回動可能に係止されて、ケース１内に揺動可能に収納されると共に、上端には上方へ突出する操作部３Ｂが形成されている。
【０００６】
さらに、４は略Ｕ字状で弾性金属薄板製の可動接点で、やや撓んだ状態でケース１内に収納され、右端がレバー３下面の突出部３Ｃに係止されると共に、中間部が操作部３Ｂ下面に、複数に分岐したアーム部４Ａの先端がケース１の内底面に弾接して、レバースイッチが構成されている。
【０００７】
そして、このように構成されたレバースイッチが、例えば光ディスクが収納されたトレイ（図示せず）近傍の、上下面に複数の配線パターンが形成された配線基板（図示せず）上に載置され、ケース１から外方へ延出した複数の固定接点２が、所定の配線パターンに半田付けされて、機器の電子回路（図示せず）に電気的に接続される。
【０００８】
以上の構成において、光ディスクが収納されたトレイの挿抜が行われると、トレイによってケース１上方から突出した操作部３Ｂが押圧されて、レバー３が支点部３Ａを支点として下方向へ揺動し、操作部３Ｂ下面が可動接点４の中間部を押圧するため、可動接点４がさらに撓んで、アーム部４Ａ先端がケース１内底面上を右方向へ弾接摺動する。
【０００９】
そして、操作部３Ｂが所定量押圧されると、アーム部４Ａ先端が固定接点２上面に弾接し、複数の固定接点２が可動接点４を介して電気的に接続された状態となる。
【００１０】
また、レバー３への押圧力が解除されると、可動接点４の弾性復帰力によって、レバー３が上方に押圧されて揺動すると共に、アーム部４Ａ先端が固定接点２から離れ、左方のケース１内底面へ弾接摺動して、複数の固定接点２が電気的に切断された元の状態に復帰する。
【００１１】
そして、このようなレバースイッチの電気的接離から、トレイの挿抜を機器の電子回路が検出して、例えばレーザ光の照射や停止等の、機器の様々な機能の切換えが行われる。
【００１２】
つまり、トレイ等の挿抜や扉等の開閉等によって、操作部３Ｂを押圧、あるいは押圧力を解除して、レバー３を揺動操作し、複数の固定接点２の電気的接離を行わせると共に、これらの電気的接離に応じて機器の電子回路が、ディスク等の有無や扉の開閉等を検出するように構成されているものであった。
【００１３】
なお、この出願の発明に関連する先行技術文献情報としては、例えば、特許文献１が知られている。
【先行技術文献】
【特許文献】
【００１４】
【特許文献１】特開２００６−３１８８５１号公報
【発明の概要】
【発明が解決しようとする課題】
【００１５】
しかしながら、上記従来のレバースイッチにおいては、これを光ディスク等のレーザ光を用いる電子機器に使用する場合、一つではなく複数のレバースイッチを配線基板に実装装着し、これらを配線パターンを介して電気的に接続することで、万が一、あるレバースイッチに故障が生じた場合でも、他のレバースイッチの電気的接離によって、トレイ等の挿抜を電子回路が確実に検出できるように対策が図られているが、高価なものになってしまい、また、機器への取付けにも手間がかかってしまうという課題があった。
【００１６】
本発明は、このような従来の課題を解決するものであり、安価で、確実な電気的接離が可能なレバースイッチを提供することを目的とする。
【課題を解決するための手段】
【００１７】
上記目的を達成するために本発明は、ケース内に複数のレバーと、複数のアーム部が形成された可動接点を収納すると共に、この複数のレバーの両側面の支点部を、ケースの両側壁に形成した支持孔に回動可能に係止してレバースイッチを構成したものであり、複数のレバーが一体に設けられると共に、一つの可動接点で複数の固定接点の電気的接離を行えるため、複数のレバースイッチを用いる必要がなく、安価で機器への取付けも容易に行えると共に、複数のレバーの支点部がケースの両側壁に確実に係止されているため、レバーの外れ等もなく、確実な電気的接離が可能なレバースイッチを得ることができるという作用を有するものである。
【発明の効果】
【００１８】
以上のように本発明によれば、安価で、確実な電気的接離が可能なレバースイッチを実現することができるという有利な効果が得られる。
【図面の簡単な説明】
【００１９】
【図１】本発明の第１の実施の形態によるレバースイッチの断面図
【図２】同分解斜視図
【図３】同共通接点と固定接点の斜視図
【図４】同操作時の断面図
【図５】本発明の第２の実施の形態によるレバースイッチの断面図
【図６】同操作時の断面図
【図７】同操作時の断面図
【図８】従来のレバースイッチの断面図
【発明を実施するための形態】
【００２０】
以下、本発明の実施の形態について、図１〜図７を用いて説明する。
【００２１】
（実施の形態１）
実施の形態１を用いて、本発明の特に請求項１記載の発明について説明する。
【００２２】
図１は本発明の第１の実施の形態によるレバースイッチの断面図、図２は同分解斜視図であり、同図において、１１は上面開口で液晶ポリマーやポリフェニレンサルファイド等の絶縁樹脂製の略箱形のケース、１２は銅合金等の導電金属薄板製の共通接点、１３と１４は同じく固定接点で、ケース１１内底面に共通接点１２及び複数の固定接点１３と１４が、インサート成形等によって植設固定されている。
【００２３】
そして、これらの接点は、図３の斜視図に示すように、共通接点１２にはケース１１側壁内を上方へ延出して、ケース１１右側面から外方へ突出する端子部１２Ａが、固定接点１３にはケース１１側壁内を上方へ延出して、ケース１１左側面から外方へ突出する端子部１３Ａが、固定接点１４にはケース１１側壁と底壁内を延出して、ケース１１下面から外方へ突出する端子部１４Ａが各々設けられている。
【００２４】
また、１５と１６は液晶ポリマーやナイロン等の絶縁樹脂製のレバーで、両側面に突出形成された略円柱状の一対の支点部１５Ａと１６Ａが、ケース１１の両側壁に設けられた略瓢箪形の一対の支持孔１１Ａ内に、上下に並べて回動可能に係止されて、レバー１５と１６がケース１１内に並列に収納されると共に、上端にはケース１１上面から上方へ突出する操作部１５Ｂと１６Ｂが形成されている。
【００２５】
さらに、１７は略コの字状で銅合金等の弾性金属薄板製の可動接点で、やや撓んだ状態でケース１１内に収納され、右端の接触部１７Ａが共通接点１２上面に弾接すると共に、複数に分岐したアーム部１７Ｂと１７Ｃの中間部が、レバー１５と１６の操作部１５Ｂと１６Ｂ下面に、アーム部１７Ｂと１７Ｃ先端の接点部１７Ｄと１７Ｅが、ケース１１の内底面に各々弾接している。
【００２６】
また、ケース１１の右内側壁には高さの異なる壁部１１Ｂと１１Ｃが形成され、やや撓んだ状態の可動接点１７によって、操作部１５Ｂと１６Ｂが上方へ付勢されたレバー１５と１６の、支点部１５Ａと１６Ａよりも右方の下面が、この壁部１１Ｂと１１Ｃ上面に弾接して、レバースイッチが構成されている。
【００２７】
そして、このように構成されたレバースイッチが、例えば光ディスクが収納されたトレイ（図示せず）近傍の、上下面に複数の配線パターンが形成された配線基板（図示せず）上に載置され、ケース１１から外方へ突出した共通接点１２や固定接点１３、１４の端子部１２Ａや１３Ａ、１４Ａが、所定の配線パターンに半田付けされて、機器の電子回路（図示せず）に電気的に接続される。
【００２８】
以上の構成において、光ディスクが収納されたトレイが挿入されると、図４の断面図に示すように、トレイによってケース１１上方から突出した操作部１５Ｂと１６Ｂが上方向または右方向から押圧されて、レバー１５と１６がほぼ同時に支点部１５Ａと１６Ａを支点として下方向へ揺動し、操作部１５Ｂと１６Ｂ下面が可動接点１７のアーム部１７Ｂと１７Ｃ中間部を押圧する。
【００２９】
このため、可動接点１７がさらに撓んで、アーム部１７Ｂと１７Ｃ先端の接点部１７Ｄと１７Ｅがケース１１内底面上を右方向へ弾接摺動し、操作部１５Ｂと１６Ｂが所定量押圧されると、接点部１７Ｄと１７Ｅがほぼ同時に固定接点１３と１４上面に弾接し、共通接点１２と固定接点１３や１４が可動接点１７を介して電気的に接続された状態となる。
【００３０】
また、トレイが抜去されてレバー１５と１６への押圧力が解除されると、可動接点１７の弾性復帰力によって、レバー１５と１６が上方に押圧されて揺動すると共に、アーム部１７Ｂと１７Ｃ先端の接点部１７Ｄと１７Ｅが固定接点１３と１４から離れ、左方のケース１１内底面へ弾接摺動して、共通接点１２と固定接点１３や１４が電気的に切断された元の状態に復帰する。
【００３１】
そして、このようなレバースイッチの電気的接離から、トレイの挿抜を機器の電子回路が検出して、例えばレーザ光の照射や停止等の、機器の様々な機能の切換えが行われる。
【００３２】
つまり、トレイ等の挿抜や扉等の開閉等によって、操作部１５Ｂと１６Ｂを押圧、あるいは押圧力を解除して、レバー１５と１６を同時に揺動操作し、共通接点１２と複数の固定接点１３や１４の電気的接離を行わせると共に、これらの電気的接離によって機器の電子回路が、ディスク等の有無や扉の開閉等を検出するように構成されている。
【００３３】
そして、この時、本発明においては、ケース１１内に並列に収納されたレバー１５と１６を揺動操作して、共通接点１２と複数の固定接点１３や１４の電気的接離を行っているため、光ディスク等のレーザ光を用いる電子機器に使用された場合でも、複数のレバースイッチを用いる必要はなく、一つのレバースイッチでトレイ等の挿抜の検出を確実に行うことが可能なようになっている。
【００３４】
すなわち、複数のレバー１５、１６が揺動して、可動接点１７の接点部１７Ｄと固定接点１３、及び接点部１７Ｅと固定接点１４の複数の電気的接離が行われるため、いずれか一方の接点部や固定接点に故障が生じた場合でも、他方の接点部と固定接点の電気的接離から、電子回路がトレイ等の挿抜を確実に検出できるように構成されている。
【００３５】
したがって、一つのレバースイッチを配線基板に実装装着するだけですむため、機器への取付けが手間なく容易に行えると共に、複数のレバー１５、１６を用いて複数の固定接点１３、１４の電気的接離を行ってはいるが、可動接点１７は一つであるため、レバースイッチ自体も安価に形成することができる。
【００３６】
さらに、本発明においては、ケース１１内に並列に収納されたレバー１５と１６は、両側面に突出形成された一対の支点部１５Ａと１６Ａが、ケース１１の両側壁に設けられた一対の支持孔１１Ａ内に、上下に並べて回動可能に挿入され、ケース１１の両側壁に確実に係止されているため、多少の衝撃が加わった場合でも、レバー１５や１６がケース１１から外れる等の不具合は生じず、共通接点１２と複数の固定接点１３、１４の確実な電気的接離を行えるようになっている。
【００３７】
なお、機器の電子回路への共通接点１２や固定接点１３、１４の接続方法としては、これらの端子部１２Ａや１３Ａ、１４Ａ全てを接続した場合には、いずれか一方、例えば接点部１７Ｄと固定接点１３に故障が生じ、これらの間が電気的に切断された状態となった場合でも、他方の接点部１７Ｅと固定接点１４は電気的に接続され、端子部１２Ａと１４Ａからはこの電気的信号が電子回路に出力される。
【００３８】
また、端子部１３Ａと１４Ａのみを電子回路に接続した場合には、接点部１７Ｄと固定接点１３、及び接点部１７Ｅと固定接点１４が直列に接続された状態となるため、いずれか一方が操作の有無にかかわらず、電気的に接続されたままであった場合でも、他方によって電気的に切断されるようになっている。
【００３９】
このように本実施の形態によれば、ケース１１内に複数のレバー１５、１６と、複数のアーム部１７Ｂ、１７Ｃが形成された可動接点１７を収納すると共に、この複数のレバー１５、１６の両側面の支点部１５Ａと１６Ａを、ケース１１の両側壁に形成した支持孔１１Ａに回動可能に係止することによって、一つの可動接点１７で共通接点１２と複数の固定接点１３や１４の電気的接離を行えるため、複数のレバースイッチを用いる必要がなく、安価で機器への取付けも容易に行えると共に、複数のレバー１５、１６の支点部１５Ａと１６Ａがケース１１の両側壁に確実に係止されているため、レバーの外れ等もなく、確実な電気的接離が可能なレバースイッチを得ることができるものである。
【００４０】
（実施の形態２）
実施の形態２を用いて、本発明の特に請求項２記載の発明について説明する。
【００４１】
なお、実施の形態１の構成と同一構成の部分には同一符号を付して、詳細な説明を省略する。
【００４２】
図５は本発明の第２の実施の形態によるレバースイッチの断面図であり、同図において、ケース１１内底面に共通接点１２及び複数の固定接点１３と１４が、インサート成形等によって植設固定されていることや、ケース１１内に並列に収納されたレバー１５と１６の、両側面に突出形成された一対の支点部１５Ａと１６Ａが、ケース１１の両側壁の一対の支持孔１１Ａ内に、上下に並べて回動可能に係止されていることは実施の形態１の場合と同様である。
【００４３】
また、可動接点１７右端の接触部１７Ａが共通接点１２上面に弾接すると共に、複数に分岐したアーム部１７Ｂと１７Ｃの中間部が、レバー１５と１６の操作部１５Ｂと１６Ｂ下面に、この先端の接点部１７Ｄと１７Ｅが、ケース１１の内底面に各々弾接していることも実施の形態１の場合と同様であるが、レバー１５と１６の支点部１５Ａと１６Ａ近傍には、支点部１５Ａ左下方に間隙部１５Ｃが、支点部１６Ａ右方に間隙部１６Ｃが各々設けられて、レバースイッチが構成されている。
【００４４】
そして、このように構成されたレバースイッチが、実施の形態１の場合と同様に、例えば光ディスクが収納されたトレイ近傍の配線基板上に載置され、共通接点１２や固定接点１３、１４が機器の電子回路に電気的に接続されると共に、トレイ等の挿抜によってレバー１５と１６が同時に揺動操作されて、可動接点１７を介した共通接点１２と複数の固定接点１３や１４の電気的接離が行われ、これによって機器の電子回路がディスクの有無等を検出する。
【００４５】
さらに、本実施の形態においては、レバー１５と１６の支点部１５Ａと１６Ａ近傍に、互いの揺動時に当接しないように、間隙部１５Ｃや１６Ｃが設けられているため、上記のようなレバー１５と１６の同時操作に加え、レバー１５と１６を各々個別に揺動操作することが可能なようになっている。
【００４６】
すなわち、図６の断面図に示すように、レバー１５のみが押圧され揺動操作された場合には、レバー１６との間に設けられた間隙部１５Ｃによって、レバー１５のみが支点部１５Ａを支点として下方向へ揺動して、操作部１５Ｂ下面が可動接点１７のアーム部１７Ｂ中間部を押圧し、先端の接点部１７Ｄが固定接点１３上面に弾接して、共通接点１２と固定接点１３が可動接点１７を介して電気的に接続される。
【００４７】
また、図７の断面図に示すように、レバー１６のみが揺動操作された場合には、レバー１５との間に設けられた間隙部１６Ｃによって、レバー１６のみが支点部１６Ａを支点として下方向へ揺動して、操作部１６Ｂ下面が可動接点１７のアーム部１７Ｃ中間部を押圧し、先端の接点部１７Ｅが固定接点１４上面に弾接して、共通接点１２と固定接点１４が可動接点１７を介して電気的に接続される。
【００４８】
つまり、レバー１５と１６の支点部１５Ａと１６Ａ近傍に、互いの揺動操作に干渉しないように間隙部１５Ｃや１６Ｃを設け、レバー１５と１６が各々個別に揺動できるようにすることで、レバー１５と１６を同時に揺動操作した場合にも、引っ掛かり感等がなく、滑らかな揺動操作が行われるように構成されている。
【００４９】
さらに、このようにレバー１５と１６を各々個別に揺動可能に形成することで、レバー１５と１６を同時に揺動操作した後、これらへの押圧力が解除された際、万が一、レバー１５と１６のいずれかに支障が生じ、一方が戻らなくなった場合でも、他方は元の状態に弾性復帰して、共通接点１２と固定接点１３または１４のいずれかは電気的に切断された状態となるため、確実な電気的接離を行うことが可能なようになっている。
【００５０】
なお、以上の説明では、支点部１５Ａ左下方に設けた間隙部１５Ｃと、支点部１６Ａ右方に設けた間隙部１６Ｃについてのみ説明したが、他のレバー１５と１６の対向する側面や上下に重なり合う箇所に様々な間隙部を設けることで、より滑らかなレバー１５や１６の揺動操作が可能となる。
【００５１】
このように本実施の形態によれば、複数のレバー１５、１６の両側面の支点部１５Ａと１６Ａを、ケース１１の両側壁に形成した支持孔１１Ａに回動可能に係止すると共に、レバー１５と１６の支点部１５Ａと１６Ａ近傍に、間隙部１５Ｃや１６Ｃ等を設けることによって、揺動操作時の互いの干渉を防ぎ、引っ掛かり感等がなく滑らかな揺動操作が行えると共に、安価で、確実な電気的接離が可能なレバースイッチを得ることができるものである。
【００５２】
なお、以上の説明では、レバー１５と１６両側面の一対の支点部１５Ａと１６Ａを、ケース１１両側壁の略瓢箪形の一対の支持孔１１Ａで係止した構成について説明したが、支持孔１１Ａを略楕円形や略小判形に形成した構成や、あるいは円形の複数の支持孔１１Ａを並べて形成し、これらに支点部１５Ａと１６Ａを回動可能に係止した構成としても、本発明の実施は可能である。
【００５３】
また、以上の説明では、レバー１５と１６を揺動操作すると、共通接点１２と固定接点１３や１４が電気的に接続される構成について説明したが、これとは逆にレバー１５と１６が揺動操作されていない状態では、共通接点１２と固定接点１３や１４が電気的に接続され、レバー１５と１６を揺動操作すると、これらが電気的に切断される構成としても、本発明の実施は可能である。
【００５４】
さらに、以上の説明では、二つのレバー１５と１６を揺動操作して、共通接点１２と二つの固定接点１３と１４の電気的接離を行う構成について説明したが、やや構造は複雑になるが、ケース１１内に二つ以上のレバーや固定接点を設けた構成としてもよい。
【産業上の利用可能性】
【００５５】
本発明によるレバースイッチは、安価で、確実な電気的接離が可能なものを得ることができるという有利な効果を有し、主に各種電子機器に使用される検出用スイッチとして有用である。
【符号の説明】
【００５６】
１１  ケース
１１Ａ  支持孔
１１Ｂ、１１Ｃ  壁部
１２  共通接点
１２Ａ、１３Ａ、１４Ａ  端子部
１３、１４  固定接点
１５、１６  レバー
１５Ａ、１６Ａ  支点部
１５Ｂ、１６Ｂ  操作部
１５Ｃ、１６Ｃ  間隙部
１７  可動接点
１７Ａ  接触部
１７Ｂ、１７Ｃ  アーム部
１７Ｄ、１７Ｅ  接点部
【図１】
2013214490.tif 000003
【図２】
2013214490.tif 000004
【図３】
2013214490.tif 000005
【図４】
2013214490.tif 000006
【図５】
2013214490.tif 000007
【図６】
2013214490.tif 000008
【図７】
2013214490.tif 000009
【図８】
2013214490.tif 000010